(57)【要約】【課題】遮断した状態で、信号をより確実に遮断できる中継コネクタ装置を提供する。【解決手段】それぞれ送信側信号線と受信側信号線とを含む第１の信号線群と、第２の信号線群との間を中継する中継コネクタ装置であって、第１の信号線群の送信側信号線を、第２の信号線群の受信側信号線に接続する第１側導通位置と、終端させる第１側終端位置との間で切り替えるとともに、記第２の信号線群の送信側信号線を、第１の信号線群の受信側信号線に接続する第２側導通位置と、終端させる第２側終端位置との間で切り替えるスイッチ部を有する。【選択図】図１
2020092296.tif 000002
【特許請求の範囲】
【請求項１】
それぞれ送信側信号線と受信側信号線とを含む第１の信号線群と、第２の信号線群との間を中継する中継コネクタ装置であって、
前記第１の信号線群の前記送信側信号線を、前記第２の信号線群の前記受信側信号線に接続する第１側導通位置と、終端させる第１側終端位置との間で切り替えるとともに、前記第２の信号線群の前記送信側信号線を、前記第１の信号線群の受信側信号線に接続する第２側導通位置と、終端させる第２側終端位置との間で切り替えるスイッチ部を有する中継コネクタ装置。
【請求項２】
請求項１の中継コネクタ装置であって、
前記送信側信号線は、送信側正極信号線と送信側負極信号線とを含み、前記受信側信号線は、受信側正極信号線と受信側負極信号線とを含み、
前記スイッチ部は、前記第１側終端位置にあるときには、当該第１の信号線群の前記送信側正極信号線または送信側負極信号線の一方を、グランド、あるいは、第１の信号線群の前記送信側正極信号線または送信側負極信号線の他方、のいずれかに接続し、
前記第２側終端位置にあるときには、前記第２の信号線群の前記送信側正極信号線または送信側負極信号線の一方を、グランド、あるいは、当該第２の信号線群の前記送信側正極信号線または送信側負極信号線の他方、のいずれかに接続する。
【請求項３】
請求項１の中継コネクタ装置であって、
前記送信側信号線は、送信側正極信号線と送信側負極信号線とを含み、前記受信側信号線は、受信側正極信号線と受信側負極信号線とを含み、
前記スイッチ部は、前記第１側終端位置にあるときには、当該第１の信号線群の前記送信側正極信号線または送信側負極信号線の一方を、グランド、あるいは、第１の信号線群の前記送信側正極信号線または送信側負極信号線の他方、のいずれかに抵抗を介して接続し、
前記第２側終端位置にあるときには、前記第２の信号線群の前記送信側正極信号線または送信側負極信号線の一方を、グランド、あるいは、当該第２の信号線群の前記送信側正極信号線または送信側負極信号線の他方、のいずれかに抵抗を介して接続する。
【請求項４】
請求項１から３のいずれか一項に記載の中継コネクタ装置であって、
前記スイッチ部は、送信側信号線が第１側導通位置にあるときには受信側信号線も第２側導通位置に位置させ、送信側信号線が第１側終端位置にあるときには受信側信号線も第２側終端位置に位置させるよう制御する中継コネクタ装置。
【請求項５】
請求項１から４のいずれか一項に記載の中継コネクタ装置であって、
前記スイッチ部は、第１の信号線群の前記送信側信号線を終端させるための配線部分を、第２の信号線群の前記受信側信号線の配線部分に対して、それぞれの仮想的な延長線が互いに斜交するように配してなる。
【請求項６】
請求項１から４のいずれか一項に記載の中継コネクタ装置であって、
前記スイッチ部は、第２の信号線群の前記送信側信号線を終端させるための配線を、第１の信号線群の前記受信側信号線の配線に対して、それぞれの仮想的な延長線が互いに斜交するように配してなる。
【請求項７】
請求項１から６のいずれか一項に記載の中継コネクタ装置であって、
前記第１の信号線群または第２の信号線群の少なくとも一方に含まれる各信号線は、信号線群に対応して設けられたプラグまたは信号線群に対応して中継コネクタ装置に設けられたレセプタクル内の対応する信号線に接続されてなる中継コネクタ装置。
【請求項８】
請求項１から６のいずれか一項に記載の中継コネクタ装置であって、
前記第１の信号線群に含まれる各信号線は、当該第１の信号線群に対応して設けられたプラグ、または当該第１の信号線群に対応して中継コネクタ装置に設けられたレセプタクル内の対応する信号線に接続され、
前記第２の信号線群に含まれる各信号線は、当該第２の信号線群に対応して設けられたプラグ、または当該第２の信号線群に対応して中継コネクタ装置に設けられたレセプタクル内の対応する信号線に接続されてなる中継コネクタ装置。
【発明の詳細な説明】
【技術分野】
【０００１】
本発明は、中継コネクタ装置に関する。
【背景技術】
【０００２】
ＬＡＮケーブルを延長する中継コネクタ装置が知られている。また、リレーを備えて、予め定めた遮断時間になるとリレースイッチがリレーを遮断してＬＡＮケーブルコネクタ間の導通を遮断する中継器が特許文献１に開示されている。
【０００３】
また、スイッチにより一対のＬＡＮケーブルの信号線を接続、切断する機能を有した中継コネクタ装置がある（非特許文献１）。
【先行技術文献】
【特許文献】
【０００４】
【特許文献１】実登３１９８６３１号公報
【非特許文献】
【０００５】
【非特許文献１】製品情報、[online]、[平成３０年１１月１日検索]、インターネット<URL: http://www2.elecom.co.jp/products/LD-DATABLOCK01.html>
【発明の概要】
【発明が解決しようとする課題】
【０００６】
しかしながら、上記従来の中継コネクタ装置では、リレーやスイッチによって信号線を接続するか、開放するかを切り替えてＬＡＮケーブルコネクタ間の導通・遮断を制御しているため、信号線を遮断した状態であっても電磁的な結合によって通信が維持されてしまう場合があった。特に比較的高感度なネットワークインタフェースに接続された場合には、通信の遮断が確実にはできないという問題点があった。
【０００７】
本発明は上記実情に鑑みて為されたもので、接続した状態と遮断した状態とを切り替え可能な中継コネクタ装置であって、遮断した状態では信号をより確実に遮断できる中継コネクタ装置を提供することを、その目的の一つとする。
【課題を解決するための手段】
【０００８】
上記従来例の問題点を解決するための本発明は、送信側信号線と受信側信号線とそれぞれを含む第１の信号線群と、第２の信号線群との間を中継する中継コネクタ装置であって、前記第１の信号線群の前記送信側信号線を、前記第２の信号線群の前記受信側信号線に接続する第１側導通位置と、終端させる第１側終端位置との間で切り替えるとともに、前記第２の信号線群の前記送信側信号線を、前記第１の信号線群の受信側信号線に接続する第２側導通位置と、終端させる第２側終端位置との間で切り替えるスイッチ部を有することとしたものである。このように遮断した状態では、信号線を終端させることで信号を確実に遮断できる。
【０００９】
また、前記送信側信号線は、送信側正極信号線と送信側負極信号線とを含み、前記受信側信号線は、受信側正極信号線と受信側負極信号線とを含み、前記スイッチ部は、前記第１側終端位置にあるときには、当該第１の信号線群の前記送信側正極信号線または送信側負極信号線の一方を、グランド、あるいは、第１の信号線群の前記送信側正極信号線または送信側負極信号線の他方、のいずれかに接続し、前記第２側終端位置にあるときには、前記第２の信号線群の前記送信側正極信号線または送信側負極信号線の一方を、グランド、あるいは、当該第２の信号線群の前記送信側正極信号線または送信側負極信号線の他方、のいずれかに接続することとしてもよい。このような終端方法により、信号を確実に遮断できる。
【００１０】
さらに前記送信側信号線は、送信側正極信号線と送信側負極信号線とを含み、前記受信側信号線は、受信側正極信号線と受信側負極信号線とを含み、前記スイッチ部は、前記第１側終端位置にあるときには、当該第１の信号線群の前記送信側正極信号線または送信側負極信号線の一方を、グランド、あるいは、第１の信号線群の前記送信側正極信号線または送信側負極信号線の他方、のいずれかに抵抗を介して接続し、前記第２側終端位置にあるときには、前記第２の信号線群の前記送信側正極信号線または送信側負極信号線の一方を、グランド、あるいは、当該第２の信号線群の前記送信側正極信号線または送信側負極信号線の他方、のいずれかに抵抗を介して接続することとしてもよい。このような終端方法によっても、信号を確実に遮断できる。
【００１１】
また前記スイッチ部は、送信側信号線が第１側導通位置にあるときには受信側信号線も第２側導通位置に位置させ、送信側信号線が第１側終端位置にあるときには受信側信号線も第２側終端位置に位置させるよう制御してもよい。
【００１２】
ここで前記スイッチ部は、第１の信号線群の前記送信側信号線を終端させるための配線部分を、第２の信号線群の前記受信側信号線の配線部分に対して、それぞれの仮想的な延長線が互いに斜交するように配されていてもよい。このようにしたことで電磁的な結合が避けられ、信号をより確実に遮断できる
【００１３】
前記スイッチ部は、第２の信号線群の前記送信側信号線を終端させるための配線を、第１の信号線群の前記受信側信号線の配線に対して、それぞれの仮想的な延長線が互いに斜交するように配されていてもよい。このようにしたことで電磁的な結合が避けられ、信号をより確実に遮断できる
【００１４】
また前記第１の信号線群または第２の信号線群の少なくとも一方に含まれる各信号線は、信号線群に対応して設けられたプラグまたは信号線群に対応して中継コネクタ装置に設けられたレセプタクル内の対応する信号線に接続されていてもよい。
【００１５】
さらに、前記第１の信号線群に含まれる各信号線は、当該第１の信号線群に対応して設けられたプラグ、または当該第１の信号線群に対応して中継コネクタ装置に設けられたレセプタクル内の対応する信号線に接続され、前記第２の信号線群に含まれる各信号線は、当該第２の信号線群に対応して設けられたプラグ、または当該第２の信号線群に対応して中継コネクタ装置に設けられたレセプタクル内の対応する信号線に接続されていてもよい。
【発明の効果】
【００１６】
本発明によると、遮断した状態では、信号を確実に遮断できる。
【図面の簡単な説明】
【００１７】
【図１】本発明の実施の形態に係る中継コネクタ装置の構成例を表す概略回路図である。
【図２】本発明の実施の形態に係る中継コネクタ装置の具体的構成例を表す説明図である。
【図３】本発明の実施の形態に係る中継コネクタ装置の回路配線の具体的実装例を表す概略説明図である。
【発明を実施するための形態】
【００１８】
本発明の実施の形態について図面を参照しながら説明する。本発明の実施の形態に係る中継コネクタ装置１は、図１に例示するように、第１の信号線群１１と、第２の信号線群１２との間を中継するものであり、スイッチ部２１と、終端回路２２とを含んで構成される。
【００１９】
第１，第２の信号線群１１，１２は、例えばイーサネット（登録商標）で利用されるツイストペアケーブルに含まれる信号線群であり、外部の装置にプラグやレセプタクルなどのコネクタを介して接続されている。これら第１，第２の信号線群１１，１２は、それぞれ送信側信号線１１ＴＸ，１２ＴＸと、受信側信号線１１ＲＸ，１２ＲＸとを含む。また送信側信号線及び受信側信号線１１ＴＸ，１２ＴＸ，１１ＲＸ，１２ＲＸのそれぞれは、正極側と負極側の信号線を含む。以下では、送信側信号線１１ＴＸ等の正極側の信号線を送信側正極信号線１１ＴＸ＋などと呼び、送信側信号線１１ＴＸ等の負極側の信号線を送信側負極信号線１１ＴＸ−などと呼ぶ。
【００２０】
終端回路２２は、本実施の形態の一例では、第１の終端回路２２ａと、第２の終端回路２２ｂとを含む。これら第１，第２の終端回路２２を区別する必要がない場合は、以下では、単に終端回路２２と称する。
【００２１】
スイッチ部２１は、送信側信号線１１ＴＸ上に配された第１接点２１１と、受信側信号線１２ＲＸに配された第２接点２１２と、第１の終端回路２２ａに接続される第３接点２１３とを含む。またこのスイッチ部２１は、送信側信号線１２ＴＸ上に配された第１接点２２１と、受信側信号線１１ＲＸに配された第２接点２２２と、第２の終端回路２２ｂに接続される第３接点２２３とを含む。
【００２２】
本実施の形態では、スイッチ部２１は、第１接点２１１と第２接点２１２とを接続する第１側導通位置と、第１接点２１１と第３接点２１３とを接続する第１側終端位置との間で切り替え可能な第１のスイッチ回路２１０ａを備える。またこのスイッチ部２１は、第１接点２２１と第２接点２２２とを接続する第２側導通位置と、第１接点２２１と第３接点２２３とを接続する第２側終端位置との間で切り替え可能な第２のスイッチ回路２１０ｂを備える。
【００２３】
本実施の形態の一例では、図１に例示したように、第１のスイッチ回路２１０ａの第１接点２１１は送信側正極信号線１１ＴＸ＋上に配され、第２接点２１２は受信側正極信号線１２ＲＸ＋上に配される。また第２のスイッチ回路２１０ｂの第１接点２２１は、送信側正極信号線１２ＴＸ＋上に配され、第２接点２２２は受信側正極信号線１１ＲＸ＋上に配される。
【００２４】
また送信側負極信号線１１ＴＸ−は、そのまま受信側負極信号線１２ＲＸ−に接続され、送信側負極信号線１２ＴＸ−は、そのまま受信側負極信号線１１ＲＸ−に接続される。
【００２５】
ここで第１，第２のスイッチ回路２１０は連動していてもよい。すなわち、第１のスイッチ回路２１０ａが第１側導通位置にあるときには、第２のスイッチ回路２１０ｂも第２側導通位置に位置し、第１のスイッチ回路２１０ａが第１側終端位置にあるときには、第２のスイッチ回路２１０ｂも第１側終端位置に位置するよう、互いに連動して制御されてもよい。このようなスイッチ回路は、２回路２接点のスイッチとして広く知られているので、ここでの詳しい説明を省略する。
【００２６】
終端回路２２は、終端抵抗Ｒを備え、入力端子に入力された信号を終端（ターミネート）する。本実施の形態の図１に示した例では、第１の終端回路２２ａは、第１のスイッチ回路２１０ａの第３接点２１３を入力端子として、この入力端子と送信側負極信号線１１ＴＸ−との間に直列に終端抵抗Ｒを接続したものとなっている。
【００２７】
また第２の終端回路２２ｂは、第２のスイッチ回路２１０ｂの第３接点２２３を入力端子として、この入力端子と送信側負極信号線１２ＴＸ−との間に直列に終端抵抗Ｒを接続したものとなっている。
【００２８】
本実施の形態の一例は以上の構成を備えており、次のように動作する。以下の説明では、第１，第２の信号線群１１，１２がそれぞれ第１、第２の外部機器に接続され、第１の信号線群１１と第２の信号線群１２との間の通信を中継・遮断するものとする。
【００２９】
ここで第１の外部機器はＭＤＩ（Medium Dependent Interface）を備え、第２の外部機器はＭＤＩ−Ｘ（Medium Dependent Interface Crossover）を備えるものとする。つまり、送信側正極信号線１１ＴＸ＋は、第１の外部機器に対して送信側正極信号線として（第１の外部機器のレセプタクルの１番ピンに）接続され、受信側正極信号線１２ＲＸ＋は、第２の外部機器に対して受信側正極信号線として（第２の外部機器のレセプタクルの１番ピンに）接続される。
【００３０】
また送信側負極信号線１１ＴＸ−は、第１の外部機器に対して送信側負極信号線として（第１の外部機器のレセプタクルの２番ピンに）接続され、受信側負極信号線１２ＲＸ−は、第２の外部機器に対して受信側負極信号線として（第２の外部機器のレセプタクルの２番ピンに）接続される。
【００３１】
そして受信側正極信号線１１ＲＸ＋は、第１の外部機器に対して受信側正極信号線として（第１の外部機器のレセプタクルの３番ピンに）接続され、受信側負極信号線１１ＲＸ−は、第１の外部機器に対して受信側負極信号線として（第１の外部機器のレセプタクルの６番ピンに）接続され、送信側正極信号線１２ＴＸ＋は、第２の外部機器に対して送信側正極信号線として（第２の外部機器のレセプタクルの３番ピンに）接続され、送信側負極信号線１２ＴＸ−は、第２の外部機器に対して送信側負極信号線として（第２の外部機器のレセプタクルの６番ピンに）接続される。
【００３２】
まず、中継動作をさせる際には、ユーザはスイッチ部２１を操作して、第１側導通位置及び第２側導通位置に設定する。このときスイッチ部２１は、送信側正極信号線１１ＴＸ＋上に配された第１接点２１１と、受信側正極信号線１２ＲＸ＋に配された第２接点２１２とを接続する。またスイッチ部２１は、送信側正極信号線１２ＴＸ＋上に配された第１接点２２１と、受信側正極信号線１１ＲＸ＋に配された第２接点２２２とを接続する。
【００３３】
なお、送信側負極信号線１１ＴＸ−は、そのまま受信側負極信号線１２ＲＸ−に接続され、送信側負極信号線１２ＴＸ−は、そのまま受信側負極信号線１１ＲＸ−に接続される。
【００３４】
このようにスイッチ部２１が接続されると、送信側信号線１１ＴＸは正極、負極はそれぞれ、対応する受信側信号線１２ＲＸの正極、負極に接続されることとなり、送信側信号線１２ＴＸは正極、負極はそれぞれ、対応する受信側信号線１１ＲＸの正極、負極に接続されることとなる。つまり本実施の形態の中継コネクタ装置１を介して接続される信号線により、第１の外部機器と第２の外部機器とがいわゆるストレートケーブルにより接続された状態となって、第１、第２の外部機器間の通信が可能となる。
【００３５】
もっとも、例えば第２の外部機器がＭＤＩ−ＸではなくＭＤＩを備える場合は、受信側正極信号線１２ＲＸ＋は、第２の外部機器に対して受信側正極信号線として（第２の外部機器のレセプタクルの３番ピンに）接続され、受信側負極信号線１２ＲＸ−は、第２の外部機器に対して受信側負極信号線として（第２の外部機器のレセプタクルの６番ピンに）接続されることとなる。またこの場合は、送信側正極信号線１２ＴＸ＋は、第２の外部機器に対して送信側正極信号線として（第２の外部機器のレセプタクルの１番ピンに）接続され、送信側負極信号線１２ＴＸ−は、第２の外部機器に対して送信側負極信号線として（第２の外部機器のレセプタクルの２番ピンに）接続される。つまりこの場合は、第１の外部機器と第２の外部機器とがいわゆるクロスケーブルにより接続された状態となって、この場合も第１、第２の外部機器間の通信が可能となる。
【００３６】
一方、通信を遮断させる場合は、ユーザはスイッチ部２１を操作して、第１側終端位置及び第２側終端位置に設定する。このときスイッチ部２１は、送信側正極信号線１１ＴＸ＋上に配された第１接点２１１と、第１の終端回路２２ａの入力端子である第３接点２１３とを接続する。またスイッチ部２１は、送信側正極信号線１２ＴＸ＋上に配された第１接点２２１と、第２の終端回路２２ｂの入力端子である第３接点２２３とを接続する。
【００３７】
このようにすると送信側正極信号線１１ＴＸ＋が第１の終端回路２２ａの終端抵抗Ｒを介して送信側負極信号線１１ＴＸ−に接続された状態となり、送信側正極信号線１２ＴＸ＋は、第２の終端回路２２ｂの終端抵抗Ｒを介して送信側負極信号線１２ＴＸ−に接続された状態となる。受信側正極信号線１１ＲＸ＋、及び受信側正極信号線１２ＲＸ＋は開放の状態となる。
【００３８】
従って送信側正極信号線１１ＴＸ＋，１２ＴＸ＋の、本来接続されるべき受信側正極信号線１２ＲＸ＋，１１ＲＸ＋に近接している部分（スイッチ部２１内部及びその近傍）における信号は、対応する負極信号線１１ＴＸ−、１２ＴＸ−により終端（ターミネート）され、十分減衰した状態となるので、これらの間で電磁的結合により信号が授受されてしまうことがなくなる。
【００３９】
これにより、遮断した状態では第１の外部機器と第２の外部機器との間で送受されるべき信号を確実に遮断できる。
【００４０】
［他の接続例］
またここまでの説明では、第１のスイッチ回路２１０ａの第１接点２１１は送信側正極信号線１１ＴＸ＋上に配され、第２接点２１２は受信側正極信号線１２ＲＸ＋上に配されるものとし、また第２のスイッチ回路２１０ｂの第１接点２２１は、送信側正極信号線１２ＴＸ＋上に配され、第２接点２２２は受信側正極信号線１１ＲＸ＋上に配されるものとしたが、本実施の形態はこの接続例に限られない。
【００４１】
例えば第１のスイッチ回路２１０ａの第１接点２１１は送信側負極信号線１１ＴＸ−上に配され、第２接点２１２は受信側負極信号線１２ＲＸ−上に配されてもよい。この場合、第１の終端回路２２ａは、入力端子としての第３接点２１３を、終端抵抗Ｒを介して送信側正極信号線１１ＴＸ＋に接続する。
【００４２】
同様に、第２のスイッチ回路２１０ｂの第１接点２２１は、送信側負極信号線１２ＴＸ−上に配され、第２接点２２２は受信側負極信号線１１ＲＸ−上に配されてもよい。この場合、第２の終端回路２２ｂは、入力端子としての第３接点２２３を、終端抵抗Ｒを介して送信側正極信号線１２ＴＸ＋に接続する。
【００４３】
つまり、本実施の形態の一例では、スイッチ部２１が、第１側終端位置にあるときには、当該第１の信号線群の送信側正極信号線または送信側負極信号線の一方を、第１の信号線群の送信側正極信号線または送信側負極信号線の他方に終端抵抗を介して接続する。
【００４４】
またスイッチ部２１が第２側終端位置にあるときには、第２の信号線群の送信側正極信号線または送信側負極信号線の一方を、当該第２の信号線群の送信側正極信号線または送信側負極信号線の他方に終端抵抗を介して接続する。
【００４５】
さらに第１のスイッチ回路２１０ａの第１接点２１１は受信側正極信号線１１ＲＸ＋上に配され、第２接点２１２が送信側正極信号線１２ＲＸ＋上に配されてもよい。この場合、第１の終端回路２２ａは、入力端子としての第３接点２１３を、終端抵抗Ｒを介して受信側負極信号線１１ＲＸ−に接続する。
【００４６】
同様に、第２のスイッチ回路２１０ｂの第１接点２２１は、受信側正極信号線１２ＲＸ＋上に配され、第２接点２２２が送信側正極信号線１１ＴＸ＋上に配されてもよい。この場合、第２の終端回路２２ｂは、入力端子としての第３接点２２３を、終端抵抗Ｒを介して受信側負極信号線１２ＲＸ−に接続する。
【００４７】
またさらに別の例では、第１のスイッチ回路２１０ａの第１接点２１１が受信側負極信号線１１ＲＸ−上に配され、第２接点２１２が送信側負極信号線１２ＲＸ−上に配されてもよい。この場合、第１の終端回路２２ａは、入力端子としての第３接点２１３を、終端抵抗Ｒを介して受信側正極信号線１１ＲＸ＋に接続する。
【００４８】
同様に、第２のスイッチ回路２１０ｂの第１接点２２１は、受信側負極信号線１２ＲＸ−上に配され、第２接点２２２が送信側負極信号線１１ＴＸ−上に配されてもよい。この場合、第２の終端回路２２ｂは、入力端子としての第３接点２２３を、終端抵抗Ｒを介して受信側正極信号線１２ＲＸ＋に接続する。
【００４９】
さらに、第１のスイッチ回路２１０ａの第１接点２１１が受信側正極信号線１１ＲＸ＋上に配され、第２接点２１２が送信側正極信号線１２ＴＸ＋上に配されてもよい。この場合、第１の終端回路２２ａは、入力端子としての第３接点２１３を、終端抵抗Ｒを介して受信側負極信号線１１ＲＸ−に接続する。
【００５０】
同様に、第２のスイッチ回路２１０ｂの第１接点２２１は、受信側正極信号線１２ＲＸ＋上に配され、第２接点２２２が送信側正極信号線１１ＴＸ＋上に配されてもよい。この場合、第２の終端回路２２ｂは、入力端子としての第３接点２２３を、終端抵抗Ｒを介して受信側負極信号線１２ＲＸ−に接続する。
【００５１】
［グランドへの接続］
またここまでの説明では、終端回路２２は、入力端子を終端抵抗Ｒを介して、入力端子に接続された信号線に対応する、極性（正極，負極の別）の異なる信号線に接続していたが、本実施の形態はこれに限られない。
【００５２】
本実施の形態の別の例では、終端回路２２は、終端抵抗Ｒを介して、入力端子とグランド（接地電位となる場所、例えばフレームグランドでもよいし、信号線のうちにグランドの電位となるグランド信号線があれば、当該グランド信号線でもよい）とを接続してもよい。
【００５３】
［終端抵抗の抵抗値］
またここまでの説明において終端抵抗の抵抗値は、接続される信号線のインピーダンスに整合させておくことが好ましい。また本実施の形態の一例では、終端抵抗Ｒを省いてもよい。
【００５４】
［配線］
本発明の実施の形態の一例に係る中継コネクタ装置１は、図２にその概要を例示するように、第１の信号線群１１を収容する第１のコネクタ３１と、第２の信号線群１２を収容する第２のコネクタ３２とを備え、スイッチ部２１や終端回路２２等は回路基板３５等の上に配されて実装される。ここで第１のコネクタ３１はプラグまたはレセプタクルであり、第１のコネクタ３１から第１の信号線群１１が引き出されて、回路基板３５上に実装された回路に接続される。また第２のコネクタ３２もまた、プラグまたはレセプタクルであり、この第２のコネクタ３２から第２の信号線群１２が引き出されて、回路基板３５上に実装された回路に接続される。
【００５５】
またここで回路基板３５は図３に例示するように、実質的に矩形状をなし、中継コネクタ装置１の筐体外部から第１のコネクタ３１を介して導入された第１の信号線群１１が接続されるターミナルＴ１１，Ｔ１２…と、第２のコネクタ３２を介して導入された第２の信号線群１２が接続されるターミナルＴ２１，Ｔ２２…とがそれぞれ、対向する一対の辺に沿って配されている。
【００５６】
図３の例では、第１のコネクタ３１から取り出される第１の信号線群１１の各信号線が次のように接続される：
送信側正極信号線１１ＴＸ＋：ターミナルＴ１１
送信側負極信号線１１ＴＸ−：ターミナルＴ１２
受信側正極信号線１１ＲＸ＋：ターミナルＴ１４
受信側負極信号線１１ＲＸ−：ターミナルＴ１３
【００５７】
また、第２のコネクタ３２から取り出される第２の信号線群１２の各信号線は次のように接続される：
送信側正極信号線１２ＴＸ＋：ターミナルＴ２４
送信側負極信号線１２ＴＸ−：ターミナルＴ２３
受信側正極信号線１２ＲＸ＋：ターミナルＴ２１
受信側負極信号線１２ＲＸ−：ターミナルＴ２２
【００５８】
さらにこの図３の例では、２回路２接点のスイッチを配するためのパターン２１Ｐが形成され、このパターン２１Ｐ上にスイッチ部２１が配される。
【００５９】
ターミナルＴ１１からの配線は、スイッチ部２１の第１のスイッチ回路２１０ａの第１接点２１１から引き出されたポイントＸ（図３のうち、ポイントＸ，Ｙ，Ｐ，Ｑは説明の便宜のために表記されるもので、実際の基板には端子等は設けられない）を通って、当該第１接点２１１に接続される。
【００６０】
またターミナルＴ２１は第１のスイッチ回路２１０ａの第２接点２１２に対してポイントＰを通って引き回される配線により接続される。ここで第２接点２１２とポイントＰとの間の配線部分は、第１接点２１１からポイントＸまでの配線部分に対して斜交ないし直交するように（これらの配線が平行となる部分が形成されないよう）形成される。
【００６１】
さらに第１のスイッチ回路２１０ａの第３接点２１３から、終端回路２２の終端抵抗Ｒ１の一端が接続される端子ＨＲ１への配線も、上記第２の接点２１２からポイントＰの間で引き出された配線部分に対して斜交ないし直交する方向（これらの配線が平行に形成される部分がないよう）に引き出される。
【００６２】
この終端抵抗Ｒ１の他端側は、ターミナルＴ１２とターミナルＴ２２とを接続する配線上に配された端子に接続される。
【００６３】
また、ターミナルＴ２４からの配線は、スイッチ部２１の第２のスイッチ回路２１０ｂの第１接点２２１から引き出されたポイントＹを通って、当該第１接点２２１に接続される。
【００６４】
またターミナルＴ１４は第２のスイッチ回路２１０ｂの第２接点２２２に対してポイントＱを通って引き回される配線により接続される。ここで第２接点２２２とポイントＱとの間の配線部分は、第１接点２２１からポイントＹまでの配線部分に対して斜交ないし直交するように（これらの配線が平行となる部分が形成されないよう）引き回して形成される。
【００６５】
さらに第２のスイッチ回路２１０ｂの第３接点２２３から、終端回路２２の終端抵抗Ｒ２の一端が接続される端子ＨＲ２への配線も、上記第２の接点２２２からポイントＱを通ってターミナルＴ１４まで引き出された配線に対して斜交ないし直交するよう（これらの配線が平行に形成される部分がないよう）に引き出される。
【００６６】
この終端抵抗Ｒ２の他端側は、ターミナルＴ１３とターミナルＴ２３とを接続する配線上に配された端子に接続される。
【００６７】
このように配線が形成されると、既に述べた中継コネクタ装置１の回路が実現できることとなるが、本実施の形態のこの例において特徴的なことは、スイッチ部２１の第１のスイッチ回路２１０ａの第１接点２１１とポイントＸとの間の配線部分と、第２接点２１２とポイントＰとの間の配線部分とが斜交ないし直交するよう形成されることにより、配線が並行する部分がなくなるため、容量性結合が抑制される。すなわち、第１のスイッチ回路２１０ａが第１側終端位置に設定されたときに、スイッチ部２１の第１のスイッチ回路２１０ａの第１接点２１１とポイントＸとの間の配線部分（終端されているものの、第１の信号線群１１の送信側正極信号線１１ＴＸ＋からの信号が供給されている）と、第２の接点２１２からポイントＰの間で引き出された配線部分（第１側導通位置に設定されたときに上記送信側正極信号線１１ＴＸ＋が接続され、信号が供給されることとなる配線）との間での容量性の結合が生じにくくなっている。
【００６８】
また、この例では、第２のスイッチ回路２１０ｂの第１接点２２１とポイントＹとの間の配線部分と、第２接点２２２とポイントＱとの間の配線部分もまた、互いに斜交ないし直交するよう形成される。これにより、第２のスイッチ回路２１０ｂが第２側終端位置に設定されたときに、第２のスイッチ回路２１０ｂの第１接点２２１とポイントＹとの間の配線部分（終端されているものの、第２の信号線群１２の送信側正極信号線１２ＴＸ＋からの信号が供給されている）と、第２の接点２２２からポイントＱの間で引き出された配線部分（第２側導通位置に設定されたときに上記送信側正極信号線１２ＴＸ＋が接続され、信号が供給されることとなる配線）との間でも同様に容量性の結合が生じにくくなっている。
【００６９】
なお、図３（ａ）の例は、上記のような配線の一例であり、同様の配線は図３（ｂ）のようにしても形成できる。また図３（ｂ）に例示する、第１のスイッチ回路２１０ａの第２接点２１２からＰ，Ｐ′を介してターミナルＴ２１に至る配線のように、一部にターミナルＸから第１の接点２１１への配線部分と平行となる配線部分（Ｐ，Ｐ′間）がある場合でも
（１）平行となる配線部分が、互いに十分離れた位置となるように配線を形成する、
（２）平行となる配線部分の長さが互いに異なることとなるよう配線を形成する、
といった方法で、容量結合をさらに防止することとしてもよい。
【００７０】
また遮断するときに容量結合を防止するべき配線間にはグランドパターン（グランド端子に接続される面状に広がる金属部分）が形成されてもよい。
【００７１】
さらに回路基板３５を多層基板とし、遮断するときに容量結合を防止するべき配線を互いに別の層（第１の層、第２の層）に配して、これら第１，第２の層の間にグランドパターンを形成した第３の層を配してもよい。
【００７２】
［他の規格のプラグ、あるいはレセプタクルを備える例］
また本実施の形態の中継コネクタ装置１は、第１の信号線群１１または第２の信号線群１２の少なくとも一方に含まれる各信号線は、各信号線群に対応して設けられたプラグまたは信号線群に対応して中継コネクタ装置に設けられたレセプタクル内の対応する信号線に接続されてなればよく、例えば、第１の信号線群１１または第２の信号線群１２の一方の信号線群に含まれる信号線は、ＲＪ−４５のプラグまたはそれに対応するレセプタクル内の対応する端子に接続されるが、他方の信号線群に含まれる信号線で伝送される信号は、例えばＵＳＢ（Universal Serial Bus）等、他の規格のコネクタで伝送される信号に変換する変換回路を介して、対応する他の規格のコネクタ（ＵＳＢ等）のプラグやレセプタクルの端子に接続されてもよい。このような変換回路及びそれのための外部機器用のソフトウエアの構成（ここでの例の場合、接続される外部機器ではＵＳＢを介してネットワークの信号を送受することとなる）は広く知られているので、ここでの詳しい説明は省略する。
【符号の説明】
【００７３】
１  中継コネクタ装置、１１  第１の信号線群、１２  第２の信号線群、２１  スイッチ部、２２  終端回路、３１  第１のコネクタ、３２  第２のコネクタ、３５  回路基板、２１０  第１，第２のスイッチ回路、２１１  第１接点、２１２  第２接点、２１３  第３接点、２２１  第１接点、２２２  第２接点、２２３  第３接点。
【図１】
2020092296.tif 000003
【図２】
2020092296.tif 000004
【図３】
2020092296.tif 000005